(57)【要約】【課題】液体噴射装置の噴射に係る調整の工程数の増加を抑制し、あるいは、小型化が可能な液体噴射装置の製造方法、および、液体噴射装置を提供する。【解決手段】第１の液体容器および第２の液体容器が着脱可能に装着される容器保持部材と、各液体容器から供給された液体をノズルから噴射する噴射機構と、調整部材と、を備えた液体噴射装置の製造方法であって、調整部材は、第１の液体容器に覆われる一方、第２の液体容器に覆われない位置に配置され、第１の液体容器が装着されず第２の液体容器が装着された状態で、噴射機構により液体を噴射させる噴射工程と、噴射工程における噴射結果に基づいて、調整部材により液体噴射装置の調整を行う調整工程と、を含むことを特徴とする。【選択図】図４
2018034397.tif 000002
【特許請求の範囲】
【請求項１】
第１の液体容器および第２の液体容器が着脱可能に装着される容器保持部材と、前記各液体容器から供給された液体をノズルから噴射する噴射機構と、調整部材と、を備えた液体噴射装置の製造方法であって、
前記調整部材は、前記第１の液体容器に覆われる一方、前記第２の液体容器に覆われない位置に配置され、
前記第１の液体容器が装着されず前記第２の液体容器が装着された状態で、前記噴射機構により液体を噴射させる噴射工程と、
前記噴射工程における噴射結果に基づいて、前記調整部材により前記液体噴射装置の調整を行う調整工程と、
を含むことを特徴とする液体噴射装置の製造方法。
【請求項２】
前記噴射工程において、前記噴射機構は、前記第２の液体容器から供給された液体を噴射することを特徴とする請求項１に記載の液体噴射装置の製造方法。
【請求項３】
前記第１の液体容器の液体の輝度は、前記第２の液体容器の液体の輝度よりも高いことを特徴とする請求項２に記載の液体噴射装置の製造方法。
【請求項４】
前記液体噴射装置は、前記第１の液体容器および前記第２の液体容器に覆われない位置に設けられた締結部材を備え、
前記調整工程は、前記締結部材と前記調整部材とにより行われることを特徴とする請求項１から請求項３の何れか一項に記載の液体噴射装置の製造方法。
【請求項５】
前記液体噴射装置は、前記第１の液体容器および前記第２の液体容器からの液体を前記噴射機構に供給する流路を有する流路部材を備え、
前記噴射機構は、前記第２の液体容器からの液体が噴射されるノズルから構成されるノズル群を複数有し、
前記調整工程において、前記容器保持部材に対する前記流路部材のアライメントを調整することを特徴とする請求項１から請求項４の何れか一項に記載の液体噴射装置の製造方法。
【請求項６】
前記第２の液体容器からの液体が噴射される前記各ノズル群は、前記第１の液体容器からの液体が噴射されるノズルが属するノズル群を間に挟むことを特徴とする請求項５に記載の液体噴射装置の製造方法。
【請求項７】
前記容器保持部材は、前記流路部材を往復移動させるためのキャリッジであり、
前記調整工程において、前記キャリッジと前記流路部材とを固定することを特徴とする請求項５または請求項６に記載の液体噴射装置の製造方法。
【請求項８】
前記調整工程において、前記キャリッジと前記噴射機構の前記ノズルとの相対位置を調整することを特徴とする請求項７に記載の液体噴射装置の製造方法。
【請求項９】
前記噴射工程の前に、前記容器保持部材に前記第２の液体容器が装着されるとともに、当該容器保持部材における前記第１の液体容器との接続部に、前記噴射機構への気体の流通を規制する流通規制部材が装着された状態で、前記第１の液体容器および前記第２の液体容器のそれぞれに対応するノズルから同時に吸引して前記噴射機構の液体流路に前記第２の液体容器からの液体を充填する充填工程を含むことを特徴とする請求項１から請求項８の何れか一項に記載の液体噴射装置の製造方法。
【請求項１０】
第１の液体容器および第２の液体容器が着脱可能に装着される容器保持部材と、
前記各液体容器から供給された液体をノズルから噴射する噴射機構と、
調整部材と、
を備え、
前記調整部材は、前記第１の液体容器に覆われる一方、前記第２の液体容器に覆われない位置に配置されたことを特徴とする液体噴射装置。
【請求項１１】
前記噴射機構により液体が噴射された際の噴射結果に基づいて前記調整部材により前記容器保持部材と当該容器保持部材に固定される被固定部材との相対位置の調整が行われる場合において、前記容器保持部材に前記第１の液体容器が装着されず且つ当該容器保持部材に前記第２の液体容器が装着された状態で、前記噴射機構が前記第２の液体容器からの液体を噴射するように構成されたことを特徴とする請求項１０に記載の液体噴射装置。
【請求項１２】
前記容器保持部材は、前記第１の液体容器および前記第２の液体容器の少なくとも一部を覆うカバーを有し、
前記調整部材は、回転軸を中心に回転可能に構成され、
前記カバーは、前記調整部材を回転させるための操作位置の前記回転軸方向の延長線上に開口を有することを特徴とする請求項１０または請求項１１に記載の液体噴射装置。
【請求項１３】
前記容器保持部材は、前記流路部材を第１方向に往復移動させるためのキャリッジであり、
前記被固定部材は、前記第１の液体容器および前記第２の液体容器からの液体を前記噴射機構に供給する流路を有する流路部材であり、
前記キャリッジと前記流路部材とを固定するための締結部材を備え、
前記調整部材は、前記キャリッジと前記流路部材とのアライメントの調整に用いられ、
前記締結部材は、前記第１の液体容器および前記第２の液体容器に覆われない位置に設けられたことを特徴とする請求項１０から請求項１２の何れか一項に記載の液体噴射装置。
【請求項１４】
前記調整部材の数は、前記締結部材の数よりも少ないことを特徴とする請求項１３に記載の液体噴射装置。
【請求項１５】
前記調整部材と前記締結部材とは、合計３つ以上設けられ、且つ同一直線上に３つ以上が並ばない非直線状に配置されたことを特徴とする請求項１３または請求項１４に記載の液体噴射装置。
【請求項１６】
前記第１の液体容器および前記第２の液体容器からの液体を前記噴射機構に供給する流路を有する流路部材を備え、
前記流路部材は、前記第１の液体容器および前記第２の液体容器から液体が供給される上流部材と、当該上流部材から液体が供給される下流部材とを有し、
前記調整部材および前記締結部材は、前記上流部材側に設けられて当該上流部材と前記キャリッジとを固定し、
前記第１方向において、前記上流部材は前記下流部材よりも長尺であり、前記締結部材は、前記下流部材から外れた位置に配置されていることを特徴とする請求項１３から請求項１５の何れか一項に記載の液体噴射装置。
【請求項１７】
前記第１方向において、前記下流部材から外れた前記上流部材の突出範囲のうち、当該突出範囲の中心よりも前記下流部材側に前記締結部材が位置することを特徴とする請求項１６に記載の液体噴射装置。
【請求項１８】
前記噴射機構は、前記第２の液体容器からの液体が噴射されるノズルから構成されるノズル群を複数有し、
前記第２の液体容器からの液体が噴射される前記各ノズル群は、前記第１の液体容器からの液体が噴射されるノズルが属するノズル群を間に挟むことを特徴とする請求項１０から請求項１７の何れか一項に記載の液体噴射装置。
【請求項１９】
前記第１の液体容器の液体の輝度は、前記第２の液体容器の液体の輝度よりも高いことを特徴とする請求項１０から請求項１８の何れか一項に記載の液体噴射装置。
【発明の詳細な説明】
【技術分野】
【０００１】
本発明は、例えばインクジェット記録装置等の液体噴射装置の製造方法、および、液体噴射装置に関し、特に、液体容器が着脱可能に装着される容器保持部材と、液体容器から供給された液体をノズルから噴射する噴射機構と、当該噴射機構の噴射に係る調整を行う調整部材と、を備えた液体噴射装置の製造方法、および、液体噴射装置に関するものである。
【背景技術】
【０００２】
圧力室内の液体に圧力変動を生じさせることでノズルから液滴として噴射（吐出）させる液体噴射ヘッドとしては、例えば、インクジェット記録装置（以下、単にプリンターという）などの画像記録装置に用いられるインクジェット記録ヘッド（以下、単に記録ヘッドという）、液晶ディスプレイなどのカラーフィルターの製造に用いられる色材噴射ヘッド、有機ＥＬ（Electro Luminescence）ディスプレイ、ＦＥＤ（面発光ディスプレイ）などの電極形成に用いられる電極材噴射ヘッド、バイオチップ（生物化学素子）の製造に用いられる生体有機物噴射ヘッドなどがある。そして、画像記録装置用の記録ヘッドでは液状のインクを噴射し、ディスプレイ製造装置用の色材噴射ヘッドではＲ（Red）・Ｇ（Green）・Ｂ（Blue）の各色材の溶液を噴射する。また、電極形成装置用の電極材噴射ヘッドでは液状の電極材料を噴射し、チップ製造装置用の生体有機物噴射ヘッドでは生体有機物の溶液を噴射する。
【０００３】
液体噴射装置としては、例えば、液体を吐出する噴射機構がキャリッジと呼ばれる保持部材に固定され、当該噴射機構のノズルから記録媒体等の液体の着弾対象に対して液体を噴射させる構成のものがある（例えば、特許文献１参照）。上記キャリッジには、噴射機構およびこの噴射機構に液体容器からの液体を供給する流路部材の位置を調整するカム等の調整部材があり、当該調整部材により、キャリッジにおける噴射機構および流路部材の位置を調整（アライメント調整）するとともにネジ等の締結部材により噴射機構および流路部材がキャリッジに固定されるように構成されている。
【０００４】
この種の液体噴射装置では、流路部材を通じて噴射機構に供給するための液体を貯留した液体容器が上記のキャリッジに着脱可能に装着される。例えば、上記特許文献１に開示されている構成では、キャリッジに固定された噴射機構（記録ヘッドユニット）の直上に液体容器が配置される。そして、上記のアライメント調整においては、液体容器からの液体を噴射機構の流路内に導入して当該液体を液体着弾対象に対して噴射させることにより検査パターン（アライメントパターン）が形成され、当該検査パターンに基づいて調整が行われ、アライメント調整後にキャリッジに噴射機構が締結部材により固定される。このため、上記の調整部材や締結部材は、キャリッジにおいて液体容器に覆い隠されない位置に配置されていた。
【先行技術文献】
【特許文献】
【０００５】
【特許文献１】特開２０１２−０４０７４３号公報
【発明の概要】
【発明が解決しようとする課題】
【０００６】
しかしながら、調整部材や締結部材が液体容器に覆い隠されない位置に配置される構成では、その分、キャリッジおよび噴射機構のサイズが大型化する問題があった。すなわち、調整部材による固定対象となる部分や当該調整部材を調整するための領域（調整部材の操作に必要な領域）をその位置にまで設けるために、キャリッジ等にその分のスペースが必要となる。また、液体貯留部材を着脱する工程が多くなる構成では、その分、製造工程全体が長くなるばかりでなく、アライメント調整後に液体貯留部材の着脱が行われることで噴射機構の位置がずれてしまう問題があった。
【０００７】
本発明は、このような事情に鑑みてなされたものであり、その目的は、液体噴射装置の噴射に係る調整の工程数の増加を抑制し、あるいは、小型化が可能な液体噴射装置の製造方法、および、液体噴射装置を提供することにある。
【課題を解決するための手段】
【０００８】
本発明の液体噴射装置の製造方法は、上記目的を達成するために提案されたものであり、第１の液体容器および第２の液体容器が着脱可能に装着される容器保持部材と、前記各液体容器から供給された液体をノズルから噴射する噴射機構と、調整部材と、を備えた液体噴射装置の製造方法であって、
前記調整部材は、前記第１の液体容器に覆われる一方、前記第２の液体容器に覆われない位置に配置され、
前記第１の液体容器が装着されず前記第２の液体容器が装着された状態で、前記噴射機構により液体を噴射させる噴射工程と、
前記噴射工程における噴射結果に基づいて、前記調整部材により前記液体噴射装置の調整を行う調整工程と、
を含むことを特徴とする。
【０００９】
本発明によれば、第１の液体容器が装着されない状態で噴射工程および調整工程を行うことができるので、製造の過程で必要な液体容器の着脱の回数が削減され、これにより、製造工程全体の短縮化が可能となる。また、液体容器の着脱回数が削減されることにより、当該液体容器の着脱時に調整部材等に作用する力や振動による調整結果への悪影響を低減することが可能となる。さらに、第１の液体容器により覆われる位置に調整部材が少なくとも一つ配置されることで、その分、容器保持部材等の小型化が可能となる。
【００１０】
上記方法では、前記噴射工程において、前記噴射機構は、前記第２の液体容器から供給された液体を噴射するようにすることができる。
【００１１】
この方法によれば、第１の液体容器が装着されていない状態で当該第１の液体容器に対応する液体流路から液体を噴射させるべく噴射機構を駆動させても、当該第１の液体容器に対応する液体流路に気体が流入して液体が正常に噴射されないおそれがある。これにより、調整部材による調整に支障が生じる可能性があるところ、噴射機構が第２の液体容器から供給された液体を噴射することにより、当該噴射結果に基づいて調整部材による調整を支障なく行うことができる。
【００１２】
また、上記方法では、前記第１の液体容器の液体の輝度は、前記第２の液体容器の液体の輝度よりも高いことが望ましい。
【００１３】
これによれば、調整工程において容器保持部材から取り外される第１の液体容器の液体の輝度が、噴射工程において噴射機構から噴射される第２の液体容器の液体の輝度よりも高いことになる。換言すると、第２の液体容器の液体の輝度が、第１の液体容器の液体の輝度よりも低いことにより、噴射結果について目視で検査が行われる場合には検査人員により視認しやすくなり、また、噴射結果の画像データに基づいて検査が行われる場合においてもコンピューター等で噴射結果が認識されやすくなる。その結果、噴射結果に基づく調整工程における調整精度が向上する。
【００１４】
さらに、上記方法では、前記液体噴射装置は、前記第１の液体容器および前記第２の液体容器に覆われない位置に設けられた締結部材を備え、
前記調整工程は、前記締結部材と前記調整部材とにより行われるようにすることが望ましい。
【００１５】
当該方法により、第１の液体容器および第２の液体容器の着脱に係らず、締結部材を用いた調整をすることができる。
【００１６】
また、上記方法では、前記液体噴射装置は、前記第１の液体容器および前記第２の液体容器からの液体を前記噴射機構に供給する流路を有する流路部材を備え、
前記噴射機構は、前記第２の液体容器からの液体が噴射されるノズルから構成されるノズル群を複数有し、
前記調整工程において、前記容器保持部材に対する前記流路部材のアライメントを調整することが望ましい。
【００１７】
これによれば、第２の液体容器からの液体が噴射されるノズルから構成されるノズル群が複数設けられていることにより、各ノズル群から液体を噴射したときの噴射結果に基づいて容器保持部材に対する流路部材のアライメントをより精度よく調整をすることができる。
【００１８】
また、上記方法において、前記第２の液体容器からの液体が噴射される前記各ノズル群は、前記第１の液体容器からの液体が噴射されるノズルが属するノズル群を間に挟むようにすることが望ましい。
【００１９】
この方法によれば、ノズル群の並設方向において、第２の液体容器から噴射されるノズル群が、第１の液体容器に対応するノズル群よりも外側に位置する方が、検査パターンにおいてアライメントずれがより顕著に現れるので、当該アライメントのずれをより特定しやすく、さらに高精度にアライメントを調整することが可能となる。
【００２０】
上記方法において、前記容器保持部材は、前記流路部材を往復移動させるためのキャリッジであり、
前記調整工程において、前記キャリッジと前記流路部材とを固定するようにすることができる。
【００２１】
この方法によれば、キャリッジに対する流路部材のアライメントを調整することができる。
【００２２】
さらに、上記方法では、前記調整工程において、前記キャリッジと前記噴射機構の前記ノズルとの相対位置を調整することが望ましい。
【００２３】
この方法によれば、キャリッジに対するノズルの位置をより精度よくアライメントすることが可能である。その結果、ノズルから噴射された液体の着弾精度が向上する。
【００２４】
また、上記方法において、前記噴射工程の前に、前記容器保持部材に前記第２の液体容器が装着されるとともに、当該容器保持部材における前記第１の液体容器との接続部に、前記噴射機構への気体の流通を規制する流通規制部材が装着された状態で、前記第１の液体容器および前記第２の液体容器のそれぞれに対応するノズルから同時に吸引して前記噴射機構の液体流路に前記第２の液体容器からの液体を充填する充填工程を含むことが望ましい。
【００２５】
この方法によれば、液体の充填時に第１の液体容器が装着される接続部に、流通規制部材が装着されることにより、液体を充填する対象の液体流路に対して吸引による負圧をより効果的に作用させることができ、液体の充填作業をより効率よく円滑に行うことができる。
【００２６】
また、本発明の液体噴射装置は、第１の液体容器および第２の液体容器が着脱可能に装着される容器保持部材と、
前記各液体容器から供給された液体をノズルから噴射する噴射機構と、
調整部材と、
を備え、
前記調整部材は、前記第１の液体容器に覆われる一方、前記第２の液体容器に覆われない位置に配置されたことを特徴とする。
【００２７】
この構成によれば、第１の液体容器により覆われる位置に調整部材が配置されることで、その分、容器保持部材等の小型化が可能となる。
【００２８】
また、上記構成において、前記噴射機構により液体が噴射された際の噴射結果に基づいて前記調整部材により前記容器保持部材と当該容器保持部材に固定される被固定部材との相対位置の調整が行われる場合において、前記容器保持部材に前記第１の液体容器が装着されず且つ当該容器保持部材に前記第２の液体容器が装着された状態で、前記噴射機構が前記第２の液体容器からの液体を噴射するように構成されたことが望ましい。
【００２９】
この構成によれば、第１の液体容器を装着することなく噴射機構が第２の液体容器からの液体を噴射することができるので、調整部材による調整を行うにあたって予め第１の液体容器の着脱が不要となる。
【００３０】
上記構成において、前記容器保持部材は、前記第１の液体容器および前記第２の液体容器の少なくとも一部を覆うカバーを有し、
前記調整部材は、回転軸を中心に回転可能に構成され、
前記カバーは、前記調整部材を回転させるための操作位置の前記回転軸方向の延長線上に開口を有する構成とすることができる。
【００３１】
この構成によれば、カバーを閉じた状態で調整部材を回転させて調整を行うことができるので、作業性が向上する。
【００３２】
上記構成において、前記容器保持部材は、前記流路部材を第１方向に往復移動させるためのキャリッジであり、
前記被固定部材は、前記第１の液体容器および前記第２の液体容器からの液体を前記噴射機構に供給する流路を有する流路部材であり、
前記キャリッジと前記流路部材とを固定するための締結部材を備え、
前記調整部材は、前記キャリッジと前記流路部材とのアライメントの調整に用いられ、
前記締結部材は、前記第１の液体容器および前記第２の液体容器に覆われない位置に設けられたことが望ましい。
【００３３】
この構成によれば、第１の液体容器により覆われる位置にある調整部材と、液体容器には覆われない位置にある締結部材とを用いてアライメントの調整が行える。そして、調整部材は、液体容器の交換作業等以外においては当該液体容器によって覆い隠されて保護されるので、当該調整部材に意図しない外力が加わることが抑制される。これにより、アライメントの調整後において流路部材の位置ずれが抑制される。また、第１の液体容器および第２の液体容器の着脱に係らず、締結部材を用いたアライメントの調整が行える。
【００３４】
上記構成において、前記調整部材の数は、前記締結部材の数よりも少ないことが望ましい。
【００３５】
この構成によれば、液体容器に覆われた調整部材の数が締結部材よりも少ないので、調整部材による調整の際に取り外す必要のある液体容器の数を低減することができる。
【００３６】
上記構成において、前記調整部材と前記締結部材とは、合計３つ以上設けられ、且つ同一直線上に３つ以上が並ばない非直線状に配置された構成を採用することが望ましい。
【００３７】
この構成によれば、調整部材と締結部材とは、合計３つ以上設けられ、且つ同一直線上に３つ以上が並ばない非直線状に配置されたので、キャリッジと流路部材とのアライメントを安定させることが可能となる。
【００３８】
上記構成において、前記第１の液体容器および前記第２の液体容器からの液体を前記噴射機構に供給する流路を有する流路部材を備え、
前記流路部材は、前記第１の液体容器および前記第２の液体容器から液体が供給される上流部材と、当該上流部材から液体が供給される下流部材とを有し、
前記調整部材および前記締結部材は、前記上流部材側に設けられて当該上流部材と前記キャリッジとを固定し、
前記第１方向において、前記上流部材は前記下流部材よりも長尺であり、前記締結部材は、前記下流部材から外れた位置に配置されている構成を採用することができる。
【００３９】
この構成によれば、液体容器の大型化に影響されず下流部材の小型化が可能となる。
【００４０】
上記構成において、前記第１方向において、前記下流部材から外れた前記上流部材の突出範囲のうち、当該突出範囲の中心よりも前記下流部材側に前記締結部材が位置する構成を採用することが望ましい。
【００４１】
この構成によれば、第１方向において下流部材から外れた上流部材の突出範囲のうち、当該突出範囲の中心よりも下流部材側に締結部材が位置することにより、締結部材の距離が可及的に近づく。これにより、上流部材の突出範囲に締結部材が配置されることでアライメント調整の精度を高めつつも、万が一上流部材に反りが生じたとしても、これに追従して噴射機構が反ったり、当該噴射機構のノズルから着弾対象までの距離が変わったりすることが抑制される。その結果、アライメント調整の結果が変わってしまうことが抑制される。
【００４２】
上記構成において、前記噴射機構は、前記第２の液体容器からの液体が噴射されるノズルから構成されるノズル群を複数有し、
前記第２の液体容器からの液体が噴射される前記各ノズル群は、前記第１の液体容器からの液体が噴射されるノズルが属するノズル群を間に挟む構成を採用することが望ましい。
【００４３】
この構成によれば、第２の液体容器から噴射されるノズル群が、ノズル群の並設方向において第１の液体容器に対応するノズル群よりも外側に位置する方が、アライメントのずれ量をより特定しやすく、さらに高精度にアライメントを調整することが可能となる。
【００４４】
また、上記構成において、前記第１の液体容器の液体の輝度は、前記第２の液体容器の液体の輝度よりも高いことが望ましい。
【００４５】
この構成によれば、第１の液体容器の液体の輝度が第２の液体容器の液体の輝度よりも高いことにより、換言すると、第２の液体容器の液体の輝度が第１の液体容器の液体の輝度よりも低いことにより、噴射機構による噴射結果について目視で検査が行われる場合には検査人員により視認しやすくなり、また、噴射結果の画像データに基づいて検査が行われる場合においてもコンピューター等で噴射結果が認識されやすくなる。その結果、噴射結果に基づくアライメント調整における調整精度が向上する。
【図面の簡単な説明】
【００４６】
【図１】プリンターの構成を説明する正面図である。
【図２】ヘッドユニットの構成を説明する上面図である。
【図３】カバーを取り外した状態におけるヘッドユニットの構成を説明する上面図である。
【図４】第３インクカートリッジを取り外した状態におけるヘッドユニットの構成を説明する上面図である。
【図５】記録ヘッドの構成を説明する上面図である。
【図６】記録ヘッドの構成を説明する正面図である。
【図７】記録ヘッドのノズル形成面の構成を説明する平面図である。
【図８】記録ヘッドの断面図である。
【図９】噴射ユニットの断面図である。
【図１０】アライメント調整時のヘッドユニットの状態を説明する上面図である。
【図１１】プリンターの製造方法の流れについて説明するフローチャートである。
【図１２】比較例としての従来のプリンターの製造方法の流れについて説明するフローチャートである。
【図１３】第２の実施形態におけるアライメント調整時のヘッドユニットの状態を説明する上面図である。
【発明を実施するための形態】
【００４７】
以下、本発明を実施するための形態を、添付図面を参照して説明する。なお、以下に述べる実施形態では、本発明の好適な具体例として種々の限定がされているが、本発明の範囲は、以下の説明において特に本発明を限定する旨の記載がない限り、これらの態様に限られるものではない。また、以下においては、本発明の液体噴射装置として、インクジェット記録装置（以下、プリンター）を例に挙げて説明する。
【００４８】
図１は、ヘッドユニット４を搭載するプリンター１の構成を示す正面図である。このプリンター１は、フレーム２と、このフレーム２内に配設されたプラテン３とを備えており、図示しない搬送機構によってプラテン３上に記録用紙、布帛、あるいは、樹脂シート等の記録媒体（液体の着弾対象の一種）が搬送される。また、フレーム２内には、プラテン３と平行にガイドロッド５が架設されており、このガイドロッド５には、記録ヘッド８を収容したキャリッジ６が摺動可能に支持されている。このキャリッジ６は、図示しないキャリッジ移動機構の駆動により、ガイドロッド５に沿って記録媒体の搬送方向である副走査方向（第２方向）に交差する主走査方向（第１方向）に往復移動するように構成されている。ヘッドユニット４は、このキャリッジ６に記録ヘッド８を搭載して構成されている。このプリンター１は、プラテン３上に載置された記録媒体に対してキャリッジ６を主走査方向に相対移動させながら記録ヘッド８のノズル３４（図５参照）からインク（本発明における液体の一種）を噴射させて、記録媒体上に当該インクを着弾させることにより文字や画像等の着弾パターンを形成（記録・印刷）する。
【００４９】
キャリッジ６（本発明における容器保持部材の一種）には、インクを貯留したインクカートリッジ７（液体容器の一種）を着脱可能に装着されている。インクとしては、例えば、水系の染料インクもしくは顔料インクや、これらの水系のインクよりも耐候性が高められた有機溶剤系（エコソルベント系）インクや、紫外線の照射による硬化する光硬化型インク等、周知の種々の組成のものを用いることができる。なお、本実施形態においては、インクカートリッジ７がキャリッジ６に搭載される構成を例示したが、これには限られず、インクカートリッジ７がプリンター１の本体側に配置され、インク供給チューブを介して記録ヘッド８に供給される構成（オフキャリッジタイプ）を採用することも可能である。この構成の場合、キャリッジ６には、サブタンク（液体容器の一種）と呼ばれる部材が装着され、インクカートリッジからのインクがこのサブタンクに供給された後、当該サブタンクから記録ヘッド８にインクが供給される。このサブタンクには、記録ヘッド８に供給するインクの供給圧を一定に調整する機能を有するものもある。あるいは、インク供給チューブ液体容器の一種が、キャリッジ６に搭載された記録ヘッド８のインク導入針２４等の接続部分に直接接続される構成であってもよい。
【００５０】
プリンター１の非記録領域であるホームポジションには、キャリッジ６に搭載された記録ヘッド８のノズル形成面（プラテン３と対向する面。図８等参照。）を払拭するワイピング機構１１が配設されている。このワイピング機構１１は、ワイパー１２を有しており、このワイパー１２としては、例えばゴムやエラストマー等の弾性・可撓性を有する部材により構成される。また、弾性を有するブレード本体の表面が布帛で被覆されたものを採用することもできる。このワイピング機構１１は、ワイピングの際、ワイパー１２の先端部を、記録ヘッド８のノズル形成面に接触可能な位置に配置する。そして、ワイパー１２の先端部がノズル形成面に接触した状態で両者を相対移動させることにより当該ワイパー１２によってノズル形成面が払拭される。
【００５１】
上記ワイピング機構１１に隣接して、上記ホームポジション若しくはその近傍に、キャッピング機構１３が配設されている。キャッピング機構１３は、記録ヘッド８のノズル形成面に当接し得るトレイ状の弾性部材からなるキャップ１４を有する。このキャッピング機構１３では、キャップ１４内の空間が封止空部として機能し、この封止空部内に記録ヘッド８のノズル３４を臨ませた状態でノズル形成面にキャップ１４を密着可能に構成されている。すなわち、ノズル形成面に密着したキャップ１４と、ノズル形成面とで覆われた空間内にノズル３４が位置することになる。また、このキャップ１４には、排液チューブを介してポンプユニットが接続されており、このポンプユニットの作動によってキャップ１４の封止空部内を負圧化することができる。そして、記録ヘッド８の内部の流路にインクカートリッジ７からのインクを充填する初期充填処理や、記録ヘッド８のノズル３４やインク流路の詰まりを解消するためのクリーニング処理においては、キャップ１４がノズル形成面に密着した状態でポンプユニットが作動され、封止空部内が負圧化されると、ノズル３４から吸引されてキャップ１４の封止空部内にインクや気泡が排出される。本実施形態におけるキャップ１４は、記録ヘッド８の噴射ユニット２３毎に個別に設けられている。したがって、初期充填処理等の際には、全ノズル列４９のノズル３４から同時に吸引を行うこともできるし、あるいは、各噴射ユニット２３について選択的に吸引を行うこともできる。なお、１つの噴射ユニット２３のノズル形成面を封止可能な大きさのキャップ１４を１つだけ備え、当該キャップ１４を使用して各噴射ユニット２３に対して順次吸引を行う構成を採用することも可能である。また、上記したオフキャリッジタイプにおいては、記録ヘッド８よりも上流側（インクカートリッジ７側）のインク供給経路を、例えばエアーポンプにより加圧することにより、記録ヘッド８の流路内を加圧して上記の初期充填処理やクリーニング処理を行う構成を採用することも可能である。
【００５２】
図２はカバー１７が閉じられた状態におけるヘッドユニット４の上面図であり、図３はカバー１７が外された状態におけるヘッドユニット４の上面図である。また、図４はカバー１７が外されるとともに第３のインクカートリッジ７ｃが外された状態におけるヘッドユニット４の上面図である。本実施形態におけるヘッドユニット４は、記録ヘッド８とインクカートリッジ７とをキャリッジ６に取り付けて構成されている。本実施形態におけるキャリッジ６は、上面（プラテン３側とは反対側の面）が開放された箱体状の部材であり、例えば、合成樹脂等から作製されている。このキャリッジ６の底部（底板）には図示しない挿通口が設けられている。この挿通口は、記録ヘッド８におけるホルダー２２の本体部２２ｂ（後述）のみが挿通可能である一方、インク導入部材２１（本発明における被固定部材の一種）およびホルダー２２のフランジ部２２ａは挿通し得ない形状・寸法とされている。これにより、キャリッジ６の内側空間に記録ヘッド８を配置した際に、ホルダー２２の本体部２２ｂは、挿通口を通ってキャリッジ６の外側（下面側）に露出する一方、インク導入部材２１およびホルダー２２のフランジ部２２ａは挿通口を通過できないためキャリッジ６の底板上面に着座する。キャリッジ６におけるインク導入部材２１の配置位置には、後述する調整穴２０ａ〜２０ｃにそれぞれ対応する図示しないネジ穴が合計３箇所形成されている。そして、キャリッジ６に配置された記録ヘッド８は、後述するようにアライメント調整が行われた後、ネジ等の締結部材１８（本発明における締結部材の一種であり、広義には調整部材の一種である）が調整穴２０を通してネジ穴に螺合されて固定（締結）される。
【００５３】
記録ヘッド８が固定されたキャリッジ６には、当該記録ヘッド８の上部に重ねてインクカートリッジ７が着脱可能に装着される。本実施形態において、キャリッジ６には、合計４色（例えば、シアン（Ｃ）、マゼンタ（Ｍ）、イエロー（Ｙ）、ブラック（Ｋ））のインクカートリッジ７ａ〜７ｄがそれぞれ装着される。本実施形態において、第１インクカートリッジ７ａにはブラックインクが、第２インクカートリッジ７ｂにはマゼンタインクが、第３インクカートリッジ７ｃ（本発明における第１の液体容器に相当）にはイエローインクが、第４インクカートリッジ７ｄ（本発明における第２の液体容器に相当）にはシアンインクが、それぞれ貯留されている。このうち第１インクカートリッジ７ａの第１方向（カートリッジ並設方向）における寸法は、他のインクカートリッジ７の第１方向の寸法よりも大きく設計されている。このため、第１インクカートリッジ７ａの容量は、他のインクカートリッジ７の容量よりも大きくなっている。
【００５４】
本実施形態におけるキャリッジ６には、カバー１７が開閉可能に設けられており、閉じた状態ではキャリッジ６に装着された各インクカートリッジ７を部分的に覆うとともにキャリッジ６の底部側に向けて押さえつけることで、インクカートリッジ７をキャリッジ６により確実に装着させる。これにより、記録ヘッド８との接続が不十分になったり、誤って外れたりすることを防止するように構成されている。このカバー１７には、開口１９が形成されており、当該カバー１７が閉じられた状態でインクカートリッジ７の上面の一部が開口１９内に露出するように構成されている。また、後述するように、アライメント調整の際に第３インクカートリッジ７ｃを外してカバー１７を閉じた状態で締結部材１８（１８ｃ）を露出させることができる（図１０参照）。開口１９の形状に関し、例示したものには限られない。要は、回転軸を中心に回転可能に構成されている締結部材１８（あるいは調整部材３０）を回転させるための操作位置（回転させるための力を作用させる位置（力点））の締結部材１８の回転軸方向の延長線上に開口していれば、どのような形状であってもよい。また、開口１９の周囲はカバー１７の素材により囲まれていなくても良く、例えば、切欠きのようなものであってもよい。
【００５５】
図５は記録ヘッド８の上面図、図６は記録ヘッド８の正面図である。また、図７は記録ヘッド８のノズル形成面の構成を説明する平面図である。さらに、図８は記録ヘッド８の断面図である。なお、図５において、破線で示す範囲Ｘは、ノズル形成面の範囲を示している。また、図８においては、第４インクカートリッジ７ｄからのインク（シアンインク）が導入される第２インク導入針２４ｂから噴射ユニット２３に至るまでの流路を主に図示しており、他のインクカートリッジ７からのインクが導入される流路は、同図の奥行き方向において互いに異なる位置を通って各噴射ユニット２３とそれぞれ連通している。本実施形態における記録ヘッド８は、インク導入部材２１（本発明における流路部材または上流部材の一種）、噴射ユニット２３（本発明における噴射機構の一種）、およびホルダー２２（本発明における流路部材または下流部材の一種）等を積層して備えている。なお、以下においては、便宜上、各部材の積層方向を上下方向として説明する。
【００５６】
本実施形態におけるインク導入部材２１は、記録ヘッド８の上部に配置される部材であり、上面側にインクカートリッジ７ａ〜７ｄを配置し得るように、ホルダー２２と比べて主走査方向に長尺に形成されている。このインク導入部材２１の上面にはインク導入針２４が、フィルター２５を介在させた状態で複数立設されている。このインク導入針２４は、インクの種類（色）毎に設けられている。本実施形態においては、４つのインクカートリッジ７ａ〜７ｄに対応して合計４本のインク導入針２４ａ〜２４ｄが主走査方向に沿って並設されている。インク導入部材２１およびインク導入針２４は、いずれも合成樹脂により作製されている。また、フィルター２５は、インク導入針２４から導入されたインクを濾過する部材であり、例えば、金属を網目状に編み込んだものや薄手の金属板に多数の穴を開けたもの等が用いられる。このフィルター２５によってインク内の異物や気泡が捕捉される。そして、本実施形態においては、キャリッジ６にインクカートリッジ７が装着されると、当該インクカートリッジ７の内部にインク導入針２４が挿入されるように構成されている。すなわち、インク導入針２４は、キャリッジ６におけるインクカートリッジ７との接続部の一部として機能する。そして、インクカートリッジ７内のインクはインク導入針２４の先端部に設けられた導入孔２６（図８）から内部流路に導入される。インク導入針２４からインクが導入されると、フィルター２５を通過してインク導入部材２１の内部に形成された導入流路２７を通り、インク導入部材２１の下方に配置されているホルダー２２の供給流路２８に流路接続部２９を介して供給される。なお、本実施形態におけるインク導入部材２１では、針状のインク導入針２４がインクカートリッジ７に挿入されてインクが導入される構成が採用されているが、これには限られない。例えば、インク導入部材２１のインク導入部分に不織布やスポンジ等の多孔質材が配設され、これに対応してインクカートリッジやサブタンク等の液体容器の導出部分にも同様な多孔質材が設けられ、両者の多孔質部材同士が接触して毛細管現象により液体の授受を行う所謂フォーム形式の構成を採用することもできる。
【００５７】
図５に示すように、インク導入部材２１には、キャリッジ６に固定するための締結部材１８が挿通される調整穴２０が、キャリッジ６のネジ穴に対応させて合計３箇所に形成されている。具体的には、副走査方向における一側（図５における上側）の辺に、主走査方向（インク導入部材２１の長尺方向）に沿って相互に間隔を空けて第１調整穴２０ａと第２調整穴２０ｂとが、形成されている。また、副走査方向における他側（図５における下側）の辺には第３調整穴２０ｃが形成されている。このように、各調整穴２０ａ〜２０ｃ（およびこれらに挿通されて組み合わされる各締結部材１８ａ〜１８ｃ）のうち、２組がインク導入部材２１の副走査方向における一方側の辺に当該インク導入部材２１の長尺方向に沿って配置され、また、残りの１組が、インク導入部材２１の副走査方向における他方側の辺に配置されることにより、これらの３組が同一直線上に並ばない非直線状（平面視において三角形状）に配置されている。そして、このようなレイアウトを採用することで、これらの３組をそれぞれ通る仮想的な平面が一義的に規定されるので、インク導入部材２１（記録ヘッド８）とキャリッジ６とのアライメントを安定させることが可能となる。
【００５８】
各調整穴２０ａ〜２０ｃは、所定の方向において締結部材１８の軸径よりも長く設定された長穴になっている。各調整穴２０ａ〜２０ｃの長尺方向は、それぞれ異なっている。例えば、第１調整穴２０ａの長尺方向は、主走査方向に対して１０〜２０°の範囲で傾斜している。同様に、第２調整穴２０ｂの長尺方向は、副走査方向に対して１０〜２０°の範囲で傾斜し、第３調整穴２０ｃの長尺方向は、副走査方向に対して約−１０〜−２０°（３４０〜３５０°）の範囲で傾斜している。このように構成することにより、キャリッジ６に対してインク導入部材２１の配置位置の調整（アライメント調整）ができるようになっている。すなわち、記録ヘッド８がキャリッジ６に配置されるとともに締結部材１８ａ〜１８ｃが各調整穴２０ａ〜２０ｃにそれぞれ通されてネジ穴に仮留された状態、つまり、調整穴２０と締結部材１８の軸との間に形成される隙間の範囲内でインク導入部材２１を動かせる状態で、キャリッジ６に対するインク導入部材２１、すなわち、記録ヘッド８の主走査方向および副走査方向における位置、および、各方向に対する傾きが微調整できる。
【００５９】
そして、アライメントの調整後には、締結部材１８ａ〜１８ｃによってキャリッジ６にインク導入部材２１を固定することで、当該キャリッジ６に記録ヘッド８をアライメントが調整された状態で固定することができる。すなわち、本実施形態においては、これらの調整穴２０ａ〜２０ｃおよび締結部材１８ａ〜１８ｃが、アライメント調整に係る広義の調整部材（広義の調整部材と狭義の調整部材との違いについては後述する）として機能する。すなわち、調整穴２０とこれに対応する締結部材１８との組み合わせが、噴射ユニット２３のインクの噴射に係る調整を行うための調整部材３０である。この調整部材３０は締結部材を兼ねている。そして、本実施形態において、アライメントの調整のために、各調整部材３０ａ〜３０ｃの締結部材１８ａ〜１８ｃを緩めたりあるいは締めたりする操作や、締結部材１８を緩めた状態でキャリッジ６に対してインク導入部材２１（記録ヘッド８）の位置を調整する作業が、本発明における調整部材により行われる液体噴射装置の調整に相当する。
【００６０】
これらの調整部材３０ａ〜３０ｃは、インク導入部材２１においてヘッドユニット４の構成部材の積層方向（ノズル形成面に直交する方向）で見て記録ヘッド８のノズル形成面よりも外側に外れた位置に配置されている。そして、これらの調整部材３０ａ〜３０ｃのうち、インクカートリッジ７によっては覆い隠されない位置に配置され、しかも主走査方向に沿って並ぶ第１調整部材３０ａおよび第２調整部材３０ｂに関し、図６に示すように、主走査方向においてインク導入部材２１のホルダー２２よりも外側に突出した突出範囲（図６における白抜きの矢印で示す範囲であって、主走査方向においてホルダー２２の側端にあたるＬ１からインク導入部材２１の側端にあたるＬ２の範囲）のうちの中心（図６においてＬｃで示す位置）よりもホルダー２２側の範囲内（Ｌ１からＬｃまでの範囲）にそれぞれ位置している。また、第３調整部材３０ｃは、主走査方向において第１調整部材３０ａと第１調整部材３０ｂとの間の範囲に形成されている。そして、第３調整部材３０ｃは、図４等で示されるように、キャリッジ６に配置された記録ヘッド８の上面において、第３インクカートリッジ７ｃによって覆われる位置、すなわち、アライメント調整の際に締結部材１８ｃを緩めたり締めたりするためのドライバー等の調整ツールがアクセスすること（調整部材３０について位置調整や固定に必要な操作を行うこと）が、第３インクカートリッジ７ｃによりできない位置に配置されている。当該位置は、第２インクカートリッジ７ｂ等の他のインクカートリッジ７には覆われない位置である。なお、図６において、第１調整部材３０ａの位置をＡ、第２調整部材３０ｂの位置をＢ、第３調整部材３０ｃの位置をＣでそれぞれ示している。
【００６１】
このように、インク導入部材２１の長尺方向に並ぶ第１調整部材３０ａと第２調整部材３０ｂとが上記突出範囲に配置されることにより、これらの調整部材３０ａ，３０ｂが、ホルダー２２に近い位置に配置される。すなわち、２つの調整穴２０ａ，２０ｂおよび締結部材１８の距離が比較的近づく。これにより、後述するアライメント調整の精度を高めつつも、万が一インク導入部材２１に反りが生じたとしても、これに追従して噴射ユニット２３、特に、ノズル形成面が沿ったり、ノズルから記録媒体までの距離が変わったりすることが抑制される。その結果、アライメント調整の結果が変わってしまうことが抑制される。また、調整部材３０の少なくとも一つがインクカートリッジ７によって覆われる位置に配置されることで、調整部材の全てをインクカートリッジに覆われない位置（インクカートリッジが装着された状態で調整ツール等がアクセスできる位置）に配置する構成と比較して、その分だけキャリッジ６、記録ヘッド８、ヘッドユニット４の小型化が可能となる。また、調整部材の全てをインクカートリッジに覆われる位置に配置する構成と比較して、インクカートリッジ７の着脱に係らず、調整部材３０を用いた調整を行いやすい。
【００６２】
ホルダー２２は、インク導入針２４から導入されたインクを噴射ユニット２３側に案内する供給流路２８や、各噴射ユニット２３の圧電素子３９を駆動する駆動信号の電気信号を扱う図示しない回路基板等を内部に有する部材である。なお、図８においては、ホルダー２２自体に供給流路２８が形成されている状態に図示されているが、これには限られず、ホルダー２２に収容された流路部材（ホルダー２２とは別体の部材）に供給流路２８が形成された構成を採用することもできる。本実施形態におけるホルダー２２は、インク導入部材２１側のフランジ部２２ａと、これよりも下流側の本体部２２ｂとを有している。フランジ部２２ａは、主走査方向において本体部２２ｂの寸法よりも大きく、なおかつ、インク導入部材２１の寸法よりも小さく形成された部材である。このホルダー２２の内部には、インク導入針２４ごとに対応して供給流路２８がそれぞれ設けられている。各供給流路２８は途中で２つに分岐して、それぞれ対応する噴射ユニット２３の導入口４２と連通される。このように、主走査方向（インクカートリッジ７の並設方向）において、ホルダー２２の寸法が、インク導入部材２１の寸法よりも小さく設定されており、インクカートリッジ７の大容量化に影響されることなく小型化が図られている。これにより、ヘッドユニット４全体としての小型化や軽量化に寄与することができる。
【００６３】
ホルダー２２の内部における下面側には、噴射ユニット２３を収容可能な空間である収容空部３１が複数区画されている。この収容空部３１は、下面側（印刷動作中に記録媒体と相対する側）が開口しており、この開口から固定板３２に接合された噴射ユニット２３が収容される。固定板３２は、例えば、ステンレス鋼等の金属製の板材から構成されている。この固定板３２に各噴射ユニット２３の下面（ノズルプレート３５あるいはノズルプレート３５の周囲に配置された部材）が接合されることにより、これらの噴射ユニット２３の高さ方向（ノズルプレート３５に垂直な方向の位置）が規定されている。また、固定板３２には、各噴射ユニット２３に対応して開口部３３が形成されている。上記のように、固定板３２に各噴射ユニット２３の下面に接合された状態では、各噴射ユニット２３のノズルプレート３５のノズル３４が形成された領域が、開口部３３においてそれぞれ露出する。そして、噴射ユニット２３がホルダー２２の収容空部３１に位置決めされた状態で収容されると、噴射ユニット２３のノズル３４や圧力室４６を含むユニット内流路が、供給流路２８と連通する。インクカートリッジ７からインク導入針２４を通じて導入されたインクは、フィルター２５で濾過された後、導入流路２７および供給流路２８を通じて噴射ユニット２３のノズル３４に至るまでのインク流路（液体流路の一種）を満たす。
【００６４】
本実施形態における噴射ユニット２３は、ノズルプレート３５、連通基板３６、圧力室形成基板３７、振動板３８、圧電素子３９、および保護基板４０が積層された状態で接着剤等により接合されてユニットケース４１に取り付けられている。ユニットケース４１は、インクカートリッジ７側からのインクが導入される導入口４２と、当該導入口４２から導入されたインクを共通液室４３側に導入するケース流路４４が形成された部材である。ユニットケース４１の下面側には、当該下面からユニットケース４１の高さ方向の途中まで直方体状に窪んだ収納空部４５が形成されている。この収納空部４５は、圧力室形成基板３７、振動板３８、圧電素子３９、および保護基板４０を収容する空間である。この収容状態で、ユニットケース４１の下面には、連通基板３６の上面が接合される。
【００６５】
本実施形態における圧力室形成基板３７は、例えばシリコン基板から作製されている。この圧力室形成基板３７には、圧力室４６を区画する圧力室空部が、ノズルプレート３５の各ノズル３４に対応して異方性エッチングによって複数形成されている。圧力室形成基板３７における圧力室空部の一方（上面側）の開口部は、振動板３８によって封止される。また、圧力室形成基板３７における振動板３８とは反対側の面には、連通基板３６が接合され、当該連通基板３６によって圧力室空部の他方の開口部が封止される。これにより、圧力室４６が区画形成される。圧力室４６は、ノズル連通口４２を介してノズル３４と連通するとともに個別連通口４７を介して共通液室４３と連通する。そして、圧力室４６は、ノズル３４毎に対応して複数並設されている。連通基板３６は、圧力室形成基板３７と同様にシリコン基板から作製された板材である。この連通基板３６には、圧力室形成基板３７の複数の圧力室４６に共通に設けられる共通液室４３（リザーバーあるいはマニホールドとも呼ばれる）となる空部が、異方性エッチングによって形成されている。この共通液室４３は、各圧力室４６の並設方向に沿って長尺な空部である。なお、圧力室形成基板３７と振動板３８とが一体的に形成されていてもよいし、別体的に形成されていてもよい。また、連通基板３６を設けずに圧力室形成基板３７にノズル連通口４２が形成されていてもよい。
【００６６】
図７に示すように、各噴射ユニット２３のノズルプレート３５は、複数のノズル３４が列状に開設された板材である。本実施形態では、所定のピッチでノズル３４が複数列設されてノズル列４９（本発明におけるノズル群に相当）が構成されている。ノズルプレート３５は、例えばシリコン基板から作製され、当該基板に対してドライエッチングにより円筒形状のノズル３４が形成されている。本実施形態において、各噴射ユニット２３のノズルプレート３５には、それぞれ合計２列のノズル列４９が形成されており、記録ヘッド８には合計４つの噴射ユニット２３が設けられているので、記録ヘッド８には合計８列のノズル列４９ａ〜４９ｈが、主走査方向に並設されている。そして、キャリッジ６に装着される各インクカートリッジ７には、それぞれノズル列４９がそれぞれ２列ずつ対応している。より具体的には、第４インクカートリッジ７ｄのシアンインクは、ノズル列４９のうち両端に位置する第１ノズル列４９ａと第８ノズル列４９ｈに割り当てられている。このシアンインクは、後述する検査パターンの形成に用いられるインクである。同様に、第３インクカートリッジ７ｃのイエローインクは第２ノズル列４９ｂおよび第７ノズル列４９ｇに、第２インクカートリッジ７ｂのマゼンタインクは第３ノズル列４９ｃおよび第６ノズル列４９ｆに、第１インクカートリッジ７ａのブラックインクは第４ノズル列４９ｄおよび第５ノズル列４９ｅに、それぞれ割り当てられている。
【００６７】
本実施形態においては、検査パターンの形成に使用されるシアンインクに対応する第１ノズル列４９ａおよび第８ノズル列４９ｈが、少なくともアライメント調整の際に取り外されるインクカートリッジ７ｃのインク（イエローインク）に対応する第２ノズル列４９ｂおよび第７ノズル列４９ｇを間に挟むようなレイアウトとなっている。このように、検査パターンの形成に使用されるシアンインクが噴射されるノズル列４９が複数設けられていることにより、各ノズル列４９ａ〜４９ｈからインクを噴射したときの噴射結果である検査パターンに基づいて行われる後述するアライメント調整をより精度よく行うことができる。また、検査パターンの形成に使用されるシアンインクに対応する第１ノズル列４９ａおよび第８ノズル列４９ｈが、アライメント調整の際に取り外されるインクカートリッジ７ｃのインクに対応する第２ノズル列４９ｂおよび第７ノズル列４９ｇよりもノズル列並設方向における外側（各ノズル列４９の配列の中心位置を基準として、より外側）に配置されることで、記録ヘッド８にアライメントのずれがある場合には当該アライメントのずれが検査パターンにおいてより顕著に現れるので、検査パターンに基づいてアライメントのずれ量をより特定しやすく、さらに高精度にアライメントを調整することが可能となる。なお、検査パターンの形成に使用されるインクに対応するノズル列４９に関し、必ずしも各ノズル列４９の並設方向の両端に位置している必要は無く、当該ノズル列４９よりもノズル列並設方向の外側に他のノズル列４９が位置してもよい。また、アライメント調整の際に取り外されるインクカートリッジ７に対応するノズル列４９に関し、当該ノズル列４９の一部が、検査パターンの形成に使用されるインクに対応するノズル列４９に挟まれていなくてもよい。例えば、アライメント調整の際に取り外されるインクカートリッジ７に対応する２列のノズル列４９のうちの一方が検査パターンの形成に使用されるインクに対応するノズル列４９の間に挟まれ、他方が検査パターンの形成に使用されるインクに対応するノズル列４９に挟まれていない構成とすることもできる。
【００６８】
なお、検査パターンの形成に使用されるインクに対応するノズル列４９が少なくとも２列以上設けられていることが望ましいが、これ以外の他の色のインクについては、必ずしも２列のノズル列４９が割り当てられていなくてもよい。すなわち、検査パターン形成用のインク以外の各色のインクについてそれぞれ一つのノズル列４９が割り当てられる構成や、各色のインクに付いてそれぞれ３列以上のノズル列４９が割り当てられる構成を採用することもできる。また、各色のインクに割り当てられるノズル列４９の数は、必ずしも同数である必要は無く、例えば、検査パターンの形成に用いられるインクについては複数のノズル列４９が割り当てられ、他のインクについてはそれぞれ１列ずつノズル列４９が割り当てられる構成であってもよい。また、同一のノズル列４９に複数種類（複数色）のインクが割り当てられる構成であってもよい。また、本実施形態においては、１つの第４インクカートリッジ７ｄからインクが記録ヘッド８のインク流路に供給され、当該インク流路が途中で分岐することで第１ノズル列４９ａおよび第８ノズル列４９ｈに供給されるが、例えば、インクカートリッジ７とノズル列４９とが１対１に対応する構成とすることもできる。例えば、ブラックインクを検査パターンに使用する場合において、当該インクを噴射させるノズル列４９が２列設けられた構成においては、当該ブラックインクを貯留したインクカートリッジ７もノズル列４９と同数の２つ設けられる。また検査パターンを１列のみのノズル列４９で形成してもよいし、検査パターンを２色のノズル列４９で形成してもよい。
【００６９】
圧力室形成基板３７の上面に形成された振動板３８は、例えば厚さが約１μｍの二酸化シリコンから構成される。また、この振動板３８上には、図示しない絶縁膜が形成される。この絶縁膜は、例えば、酸化ジルコニウムから成る。そして、この振動板３８および絶縁膜上における各圧力室４６に対応する位置に、圧電素子３９がそれぞれ形成されている。本実施形態における圧電素子３９、振動板３８および絶縁膜上に、金属製の下電極膜、チタン酸ジルコン酸鉛（ＰＺＴ）等からなる圧電体層、および、金属製の上電極膜（何れも図示せず）が順次積層されて構成される（何れも図示せず）。この構成において、上電極膜または下電極膜の一方が共通電極とされ、他方が個別電極とされる。また、個別電極となる電極膜および圧電体層が圧力室４６毎にパターニングされる。
【００７０】
圧力室形成基板３７および圧電素子３９が積層された連通基板３６の上面には、保護基板４０が配置される。この保護基板４０は、例えば、ガラス、セラミックス材料、シリコン単結晶基板、金属、合成樹脂等から作製される。この保護基板４０の内部には、圧電素子３９に対向する領域に当該圧電素子３９の駆動を阻害しない程度の大きさの凹部４８が形成されている。圧電素子３９の素子端子には、フレキシブル基板５０の一端部と電気的に接続される。プリンターの制御部側からフレキシブル基板５０を通じて駆動信号（駆動電圧）が圧電素子３９に印加されると、当該圧電素子３９は印加電圧の変化に応じて圧電能動部が撓み変形することにより、圧力室４６の一面を区画する可撓面、すなわち、振動板３８が、ノズル３４に近づく側またはノズル３４から遠ざかる方向に変位する。これにより、圧力室４６内のインクに圧力変動が生じ、この圧力変動を利用してノズル３４からインクが噴射される。
【００７１】
図１０は、アライメント調整時のヘッドユニット４の状態を説明する平面図である。また、図１１は、プリンター１の製造方法について説明するフローチャートである。以下においては、主に、キャリッジ６に対する記録ヘッド８のアライメント調整および固定について説明する。まず、後述するようにアライメント調整に係る検査パターンの形成に使用するインク（本実施形態においてはシアンインク）を記録ヘッド８のインク流路に充填するため、予め記録ヘッド８が締結部材１８により仮留された状態のキャリッジ６に対し、インクカートリッジ７が装着される（Ｓ１）。ここで、アライメント調整のためには、上記の各調整部材３０ａ〜３０ｃにドライバー等の調整ツールがアクセス可能な状態にする必要がある。そして、本実施形態においては、第３調整部材３０ｃは、第３インクカートリッジ７ｃに覆われる位置に配置されているので、第３調整部材３０ｃを露出させるべく、少なくとも第３インクカートリッジ７ｃは装着されない。本実施形態では、カートリッジ装着工程Ｓ１において第１インクカートリッジ７ａ、第２インクカートリッジ７ｂ、および第４インクカートリッジ７ｄが装着された後、図１０に示すように、カバー１７が閉じられる。これにより、各インクカートリッジ７ａ，７ｂ，７ｄがより確実に装着される。このカバー１７には開口１９が形成されているので、この開口１９内に第３調整部材３０ｃが露出する。このため、この後のアライメント調整の際にカバー１７が閉じられたままで第３調整部材３０ｃの第３締結部材１８ｃを緩めたり締めたりするための調整ツールがアクセスすることができる。すなわち、カバー１７を閉じた状態でアライメント調整を行うことができる。このため、カバー１７が作業の邪魔とならず、作業性が向上する。
【００７２】
続いて、キャッピング機構１３によりインクの充填工程が行われる（Ｓ２）。すなわち、キャップ１４によってノズル形成面がキャッピングされた状態でポンプユニットが作動されて吸引されることにより、キャリッジ６に装着されているインクカートリッジ７内のインクが、記録ヘッド８のノズル３４までのインク流路に充填される。ここで、上記のように本実施形態におけるキャップ１４は、噴射ユニット２３毎に独立しているので、充填対象のインク流路に選択的にインクの充填を行うことができる。すなわち、本実施形態においては、第３インクカートリッジ７ｃのイエローインクに対応する第２ノズル列４９ｂおよび第７ノズル列４９ｇ以外の各ノズル列４９ａ，４９ｃ，４９ｄ，４９ｅ，４９ｆ，４９ｈに対応する各インク流路にインクが充填される。ただし、キャップ１４が噴射ユニット２３毎に独立していなくても、検査パターンの形成に使用するインクが充填されればよい。
【００７３】
充填対象のインク流路にインクが充填されたならば、続いて、キャリッジ６のネジ穴に締め付けられて固定（仮留）されている調整部材３０の締結部材１８が緩められる（Ｓ３）。すなわち、第１調整部材３０ａの第１締結部材１８ａ、第２調整部材３０ｂの第２締結部材１８ｂ、および第３調整部材３０ｃの第３締結部材１８ｃが、それぞれネジ穴から外れない範囲内で図示しない調整ツールによって緩める方向に順次回動されることにより、調整穴２０と締結部材１８の軸との間に形成される隙間の範囲内でキャリッジ６に対する記録ヘッド８の位置を調整できる状態とされる。広義には、この締結部材１８をネジ穴にネジ込んで締結するための操作、または、締結した締結部材１８を緩めるための操作（締結を解除するための操作）も本発明における調整部材による調整の一種である。上記のように、第３インクカートリッジ７ｃによって覆われる位置に設けられた第３調整部材３０ｃに関し、第３インクカートリッジ７ｃがキャリッジ６から取り外されていることで、カバー１７の開口１９を通じて第３調整部材３０ｃの第３締結部材１８ｃを調整ツールにより緩める作業（第３締結部材１８ｃを回動させる操作）を行うことができる。
【００７４】
次に、プリンター１に記録用紙がセットされ、当該記録用紙に対して記録ヘッド８のノズル３４からインクが噴射されることで検査パターンが印刷（形成）される（Ｓ４）。すなわち、この工程は、本発明における噴射工程の一種である。また、これにより形成された検査パターンは、本発明における噴射結果の一種である。検査パターンとしては、例えば、少なくとも２列以上のノズル列４９のノズル３４からインクを噴射させることにより形成される罫線等が採用される。つまり、主走査方向における位置が異なる複数のノズル列４９から罫線（副走査方向に沿った縦罫線または副走査方向に交差する横罫線）を印刷し、これらの罫線の副走査方向における位置に基づき、キャリッジ６に対する記録ヘッド８の傾き（主走査方向および副走査方向に対する傾き）の有無および程度について検査が行われる。この検査は、検査に携わる人員が記録用紙に印刷された検査パターンを目視で確認することにより行われるようにしてもよいし、記録用紙に印刷された検査パターンがスキャナー等により光学的に読み取られ、得られた検査パターンの画像データに基づいて画像処理等により行われるようにしてもよい。このようなキャリッジ６に対する記録ヘッド８の傾きを検査する方法としては周知の種々の方法を採用することができる。要するに、ノズル３４からインクを噴射したときの噴射結果に基づきキャリッジ６に対する記録ヘッド８の傾きが把握できる方法であればよい。
【００７５】
本実施形態においては、検査パターンを形成するためのインクとしてシアンインクが用いられる。すなわち、検査パターンを形成する際には、キャリッジ６から取り外された第３インクカートリッジ７ｃのイエローインクは使用されない。第３インクカートリッジ７ｃが装着されていない状態で且つ当該第３インクカートリッジ７ｃに対応するインク流路にイエローインクが充填されていない状態でイエローインクを噴射させるべく、これに対応する噴射ユニット２３の圧電素子３９を駆動させてもイエローインクに対応するインク流路に気体（空気）が流入してノズル３４からインクが正常に噴射されず、検査パターンも正常に形成することができないおそれがあり、調整部材によるアライメント調整に支障が生じる可能性がある。本実施形態においては、検査パターンを形成するためのインクとしてキャリッジ６に装着されている第４インクカートリッジ７ｄのシアンインクを使用することにより、これに対応するノズル３４からインクを噴射させることができ、これにより形成された検査パターンに基づいて調整部材３０によるアライメント調整を支障なく行うことができる。また、本実施形態における構成によれば、第３インクカートリッジ７ｃを装着することなく第４インクカートリッジ７ｄからのインクを噴射ユニット２３が噴射することができるので、調整部材３０ｃによる調整を行うにあたって予め第３インクカートリッジ７ｃの着脱が不要となる。
【００７６】
また、この検査パターンを形成するためのインクとしては、アライメント調整工程においてキャリッジ６から外されるインクカートリッジ７に貯留されているインク（本実施形態においては、第３インクカートリッジ７ｃに貯留されているイエローインク）よりも記録媒体（記録用紙）上での輝度（明度）が低いものが使用される。換言すると、第３インクカートリッジ７ｃに貯留されているイエローインクの輝度は、第２インクカートリッジ７ｂに貯留されているシアンインクの輝度よりも高い。この輝度は、例えば、ＪＩＳ  Ｚ８７２９に規定されているＬ＊ａ＊ｂ＊表色系（ＣＩＥＬＡＢ色空間）におけるＬ＊値で表されるものである。より具体的には、記録媒体に対し、各インクカートリッジ７のインクを用いてそれぞれ１４４０×７２０〔ｄｐｉ〕の解像度で１００％ｄｕｔｙの印刷を行って得られた印刷物の光学濃度（ＯＤ）を分光測色計で測定して得られた上記Ｌ＊を「輝度」としている。なお、上記「ｄｕｔｙ」とは、下記式（Ａ）で定義され、算出される値Ｄの単位を示すものである。
Ｄ＝１００×（実印字ドット数）／（縦解像度×横解像度）...（Ａ）
１００％ｄｕｔｙとは、画素に対する単色の最大インク重量を意味する。
【００７７】
このように、検査パターンを形成するためのインクとして、アライメント調整工程においてキャリッジ６から外されるインクカートリッジ７のインクよりも輝度が低いものが使用されることにより、検査パターンについて目視で記録ヘッド８の傾き（ノズル位置のずれ）の検査が行われる場合には検査人員により視認しやすくなり、また、検査パターンの画像データに基づいて行われる場合においてもコンピューター等で認識しやすくすることが可能となる。その結果、検査パターンに基づく記録ヘッド８の傾きについての判定精度が向上し、その結果、アライメント調整における調整制度が向上する。
【００７８】
なお、本実施形態においては、検査パターンの形成に使用されるインク（シアンインク）が、記録ヘッド８におけるノズル列４９ａ〜４９ｈのうちノズル列並設方向の両端に位置する第１ノズル列４９ａと第８ノズル列４９ｈに割り当てられているので、当該シアンインクのみを使用して検査パターンを形成することにより、検査パターンにおいて記録ヘッド８のアライメントずれがある場合には、当該ずれがより顕著に現れるので、キャリッジ６に対する各ノズル３４の位置関係をより精度よく検査することができる。このため、本実施形態においては、第３インクカートリッジ７ｃのみが装着されない構成を例示したが、これには限られず、第３インクカートリッジ７ｃ以外のインクカートリッジ７であって、検査パターンの形成に使用するインク以外のインクのインクカートリッジ７（例えば、第１インクカートリッジ７ａおよび第２インクカートリッジ７ｂ）が装着されなくてもよい。このように、アライメント調整時にキャリッジ６に装着されなくても良いインクカートリッジ７が複数となるような構成を採用することで、調整部材３０の配置レイアウトの自由度が向上する。
【００７９】
続いて、上記のようにして形成された検査パターンに基づき、記録ヘッド８のアライメント調整が必要か否かについて判定が行われる（Ｓ５）。検査パターンに基づく検査の結果、記録ヘッド８のアライメント調整が必要（Ｙｅｓ）と判定された場合、キャリッジ６に対するインク導入部材２１の位置を調整することにより、キャリッジ６における記録ヘッド８のアライメント調整が行われる（Ｓ６）。その結果として、キャリッジ６に対する記録ヘッド８の各ノズル３４の位置関係（キャリッジ６とノズル３４から噴射されて記録媒体に形成されたドットとの位置関係）が調整される。上記キャリッジ６における記録ヘッド８のアライメント調整については周知であるため、その詳細な説明は省略するが、調整穴２０と締結部材１８の軸との間に形成される隙間の範囲内でキャリッジ６に対する記録ヘッド８の位置を調整できるものであれば、種々の調整機構や部材を使用することができる。本実施形態において、上記調整部材３０ａ〜３０ｃとは別途キャリッジ６に設けられた調整機構（狭義の調整部材）を利用してアライメント調整が行われる。例えば、インク導入部材２１に当接するカム面を有する図示しない回動式のカム機構やスライド機構、あるいは、インク導入部材２１が当接する当接面とインク導入部材２１を当接面側に付勢する付勢部材との組み合わせからなる機構等により行われる。その他、例えば、別途の治具により記録ヘッド８を保持し、当該治具により記録ヘッド８とキャリッジ６とを相対的に移動させる構成を採用することができる。
【００８０】
また、上記調整部材３０ａ〜３０ｃとは別途に調整機構を設けることなく、インクカートリッジ７によって覆い隠される位置に配置されている第３調整部材３０ｃが、上記カム機構やスライド機構のような調整機構として機能し、また、インクカートリッジ７により覆われない位置にある第１調整部材３０ａおよび第２調整部材３０ｂが主に締結部材として機能する構成を採用することもできる。つまり、この場合、第３調整部材３０ｃは、それ自体でアライメント調整を直接的に行う（当該第３調整部材３０ｃの操作によりアライメント対象の部材であるインク導入部材２１に力を直接または間接的に作用させる）ための狭義の調整部材として機能する。これに対し、第１調整部材３０ａおよび第２調整部材３０ｂは、主にインク導入部材２１（記録ヘッド８）をキャリッジ６に直接的または間接的に固定・締結するための締結部材として機能し、それ自体ではアライメントの調整を行う機構（狭義の調整部材）としては機能しないが、上記のように調整穴２０と締結部材１８の軸との間に形成される隙間の範囲内でキャリッジ６に対するインク導入部材２１（記録ヘッド８）の位置を調整できるので、間接的にアライメント調整を行う広義の調整部材と言える。
【００８１】
そして、アライメントの調整に直接係る調整部材としての調整機構は、複数あってもよいが、少なくとも一つの調整部材（狭義の調整部材）が、何れかのインクカートリッジ７に覆われる位置に配置され、当該インクカートリッジ７ｃが外された状態で調整ツール等がアクセスすることができる（そのような位置に配置されている）ことが望ましい。このように、調整部材が、インクカートリッジ７の交換作業等以外においては当該インクカートリッジ７によって覆い隠されて保護される構成とすることで、調整部材に意図しない外力が加わることが抑制される。これにより、アライメントの調整後においてインク導入部材２１（記録ヘッド８）の位置ずれが抑制される。また、調整部材の数は、締結部材の数よりも少ないことが望ましい。これにより、調整部材によるアライメント調整の際に、キャリッジ６から取り外す必要のあるインクカートリッジ７の数を削減することが可能となる。
【００８２】
アライメント調整が行われたならば、再度、検査パターンの印刷が行われ（Ｓ４）、調整が不要と判定されるまで以降の工程（Ｓ４〜Ｓ６）が繰り返される。検査パターンに基づく検査の結果、記録ヘッド８のアライメント調整は不要（Ｓ５でＮｏ）と判定された場合、すなわち、記録ヘッド８がキャリッジ６に対して傾くことなく正しく取り付けられている（キャリッジ６に対する記録ヘッド８の各ノズル３４の位置関係が望ましい状態となっている）と判定された場合、続いて、調整部材３０の締結部材１８が締めつけられることでキャリッジ６に記録ヘッド８が固定される（Ｓ７）。すなわち、本実施形態においては、第１調整部材３０ａの第１締結部材１８ａ、第２調整部材３０ｂの第２締結部材１８ｂ、および第３調整部材３０ｃの第３締結部材１８ｃが、調整ツールにより締め付ける方向に順次回動されることにより、記録ヘッド８がキャリッジ６に本固定される。この場合においても、カバー１７の開口１９を通じて第３調整部材３０ｃの第３締結部材１８ｃを調整ツールにより締め付ける作業（第３締結部材１８ｃを回動させる操作）を行うことができる。なお、インク導入部材２１（記録ヘッド８）とキャリッジ６とは直接固定されていなくてもよく、例えば、インク導入部材２１とキャリッジ６との間に別の部材が配置されることで、インク導入部材２１がキャリッジ６に間接的に固定される構成であっても良い。
【００８３】
キャリッジ６に記録ヘッド８が固定されたならば、続いて、アライメント調整のために取り外されていた第３インクカートリッジ７ｃがキャリッジ６に装着される（Ｓ８）。この際、アライメント調整の後に既に締結部材１８ａ〜１８ｃにより記録ヘッド８がキャリッジ６に対して本固定されているので、第３インクカートリッジ７ｃの装着作業に伴い記録ヘッド８とキャリッジ６との間に外力が作用したとしても、記録ヘッド８の位置ずれが抑制され、アライメントの調整結果を良好に維持することができる。続いて、キャッピング機構１３により当該第３インクカートリッジ７ｃに貯留されているインクの充填工程が行われる（Ｓ９）。すなわち、第３インクカートリッジ７ｃのイエローインクに対応する第２ノズル列４９ｂおよび第７ノズル列４９ｇ以外の各ノズル列４９のインク流路に第３インクカートリッジ７ｃのイエローインクが選択的に充填される。
【００８４】
以上のようにして、キャリッジ６に対する記録ヘッド８のアライメント調整および固定が行われる。ここで、本願発明に係る製造方法との比較のため、従来の構成において行われていた製造方法について、図１２のフローチャートに基づいて簡単に説明する。なお、従来のヘッドユニットにおいて一部の調整部材が特定のインクカートリッジに覆われており、当該インクカートリッジが装着された状態では当該調整部材に調整ツール等がアクセスできないことを前提として説明する。まず、キャリッジに全てのインクカートリッジがキャリッジに装着され（Ｓ１１）、インク充填後（Ｓ１２）に、調整部材を覆っているインクカートリッジが外されて、当該インクカートリッジによって覆われていた調整部材を露出させる（Ｓ１３）。そして、調整部材を緩められた後（Ｓ１４）、取り外されたインクカートリッジが再度キャリッジに装着される（Ｓ１５）。検査パターンの印刷（Ｓ１６）およびアライメント調整（Ｓ１８）が完了したならば（Ｓ１７でＮｏ）、調整部材を覆っているインクカートリッジが再度外されて、当該インクカートリッジによって覆われていた調整部材を露出させる（Ｓ１９）。そして、締結部材によりキャリッジに対して記録ヘッドが本固定された後（Ｓ２０）、取り外されていたインクカートリッジがキャリッジに装着される（Ｓ２１）。このように、従来の製造方法では、インクカートリッジの挿抜回数が本願発明に係る製造方法と比較して多くなる。しかも、アライメント調整の後、本固定をする前にインクカートリッジを取り外す際に記録ヘッドとキャリッジとの間に外力が作用して記録ヘッドの位置がずれてしまう虞があった。カートリッジを挿抜する工程を減らす観点では、調整部材をインクカートリッジに覆われない位置に配置する構成を採用することも考えられるが、その分、記録ヘッド（ヘッドユニット）全体が大型化するという問題がある。すなわち、調整部材による固定対象となる部分や当該調整部材を調整するための領域（調整部材の操作に必要な領域）をその位置にまで設けるために、キャリッジ６等を延長する必要があり、装置が大型化する。特にインクカートリッジを大型化するのに伴って記録ヘッドが大型化してしまうので、インクカートリッジの大容量化の障害となってしまう。
【００８５】
これに対し、本願発明に係る製造方法によれば、第３調整部材３０ｃを覆い隠す第３インクカートリッジ７ｃを取り外した状態で各工程が行われるので、図１２で示されるような従来の製造方法と比較して、インクカートリッジ７を挿抜する工程が少なくて済み、製造工程全体の短縮化が可能となる。しかも、アライメントが調整された後、締結部材１８により記録ヘッド８がキャリッジ６に本固定される前にインクカートリッジ７が挿抜される工程が無いので、アライメント調整が行われた後に記録ヘッド８がキャリッジ６に対して位置ずれすることが抑制される。そして、調整部材３０をインクカートリッジ７によって覆い隠される位置に配置することができるので、その分、記録ヘッド８（ヘッドユニット４）の小型化が可能なり、インクカートリッジの大型化（大容量化）に対応することが可能となる。
【００８６】
図１３は、本発明の第２の実施形態におけるアライメント調整時のヘッドユニット４の状態を説明する平面図である（カバー１７を取り外した状態）。上記第１の実施形態においてはキャッピング機構１３におけるキャップ１４が噴射ユニット２３毎に個別に設けられているのに対し、第２の実施形態においてはキャップ１４が記録ヘッド８の全ノズル列４９ａ〜４９ｈに共通の一つのキャップである構成である点で第１の実施形態と相違している。本実施形態では、第３インクカートリッジ７ｃを装着しない状態で全ノズル列４９ａ〜４９ｈから同時に吸引を行うと、当該第３インクカートリッジ７ｃに対応するインク流路が大気と連通しているため、充填対象のインク流路に負圧が十分に作用せず、充填効率が悪化するという問題が生じる。このため、本実施形態における充填処理等の際には、第３インクカートリッジ７ｃが装着される位置にある第３インク導入針２４ｃ（本発明における接続部の一種）に、ダミーカートリッジ５１（流通規制部材の一種）が装着される。このダミーカートリッジ５１は、インク導入針２４に取り付けられることにより、吸引時にインク導入針２４の導入孔２６からインク流路に空気が流入することを規制する（流体の流入量を調整する）部材であり、例えば、流量制御弁を備えている。このダミーカートリッジ５１は、第３インクカートリッジ７ｃの装着予定位置に装着可能な形状であって、少なくともインクカートリッジ７よりも奥行き方向（副走査方向）の寸法が小さく設計されることにより、キャリッジ６に装着された状態において第３調整部材３０ｃを露出させることができるように構成されている。このようにインクの充填時に第３インクカートリッジ７ｃが装着される位置にある第３インク導入針２４ｃに、ダミーカートリッジ５１が装着されることにより、インクを充填する対象のインク流路に対し吸引による負圧がより効果的に作用し、インクの充填作業をより効率よく円滑に行うことができる。
【００８７】
なお、ダミーカートリッジ５１の形状・寸法については例示したものには限られず、要は、インク充填時にインク導入針２４の導入孔２６からインク流路に空気が流入することを規制することができ、なおかつ、キャリッジ６に装着された状態において第３調整部材３０ｃを露出させることができるものであればよい。また、必ずしもダミーカートリッジ５１を使用しなくてもよく、例えば、第３インクカートリッジ７ｃを装着した状態で当該第３インクカートリッジ７ｃに対応するインク流路にもインクを充填し、充填後に第３インクカートリッジ７ｃを外して以降の工程を行うようにすることもできる。
【００８８】
また、上記各実施形態においては、検査パターンを形成するためのインクとしてキャリッジ６に装着されている第４インクカートリッジ７ｄのシアンインクが用いられる構成を例示したが、これには限られない。例えば、アライメント調整の際にキャリッジ６から取り外されるインクカートリッジ７に貯留されているインクを検査パターンの形成に使用することもできる。すなわち、インクカートリッジ７を取り外す前に当該インクカートリッジ７に対応するインク流路にインクを充填し、充填後に当該インクカートリッジ７が取り外される。そして、検査パターンの形成の際には、当該インク流路に残ったインクが、当該インク流路に対応するノズル列４９のノズル３４から噴射されて検査パターンが形成される。この際、このままでインクを噴射した場合には、当該インク流路にインク導入針２４側から空気が流入し、インクの噴射に支障が生じる可能性がある。その一方で、インク流路に空気が流入しないようにインク導入針２４の導入孔２６等の入り口を閉塞した場合、噴射ユニット２３（圧電素子３９）の駆動によりノズル３４からインクを噴射するのに伴ってインク流路内の負圧が大きくなり、この場合にもインクを正常に噴射することができないおそれがある。この点に関し、取り外されたインクカートリッジ７の装着位置に上記ダミーカートリッジ５１が装着されることにより、上記不具合が抑制される。すなわち、ダミーカートリッジ５１が装着されていることにより、インク流路への空気の流入を許容しつつその流入量が規制されるので、圧力室４６へのインクの供給圧が望ましい状態に調整され、これにより、上記不具合を低減することができる。この構成においても、検査パターンの形成に使用されるインクとして、当該検査パターンの視認等に有利なインク（輝度がより低いインク）を使用することが望ましい。
【００８９】
上記各実施形態では、噴射ユニット２３（噴射機構）の噴射に係る調整としてインク導入部材２１（流路部材）とキャリッジ６（容器保持部材）とのアライメント調整を例示したが、これには限られず、噴射機構による噴射結果に基づいて調整を行う構成であれば、例えば、容器保持部材に設けられた光学センサー等の調整にも本発明を適用することができる。このセンサーとしては、噴射機構により噴射される液体の着弾対象に着弾した液体（ドット）を認識するためのセンサー、ノズルから液体の着弾対象までの距離を計測するセンサー、あるいは、液体の着弾対象の端を認識するためのセンサー等が挙げられる。そして、噴射機構による噴射結果に基づき、イニシャライズとして上記センサーをより望ましい位置（噴射結果としての検査パターンをより明確に認識できる位置）に配置するべく調整部材によるアライメント調整を行ったり、あるいは、センサーの配置を変えることなく焦点等の調整を行ったりする構成を採用することもできる。これらの調整も液体噴射装置の調整の一種である。
【００９０】
また、例えば、噴射機構への液体の供給圧の調整する機構を備える構成にも本発明を適用することができる。例えば、噴射機構による噴射結果（ドットの大きさや着弾位置等）に基づき、ネジ等の調整部材の回転量によって流路の断面積を変えて噴射機構への液体の供給圧を変更することにより、噴射機構のノズルから噴射される液体の噴射特性を調整する構成においても本発明を適用することができる。さらに、噴射機構のノズルから液体の着弾対象までの距離（所謂プラテンギャップあるいはペーパーギャップとも呼ばれる）を調整する調整部材を備えた構成にも本発明を適用することができる。例えば、噴射機構による噴射結果として、液体の噴射に伴って生じる不要な液滴（サテライト滴）の量が相対的に多ければ調整部材により上記距離をより小さく設定して、印刷品質をより重視するように調整したり、サテライト滴の量が相対的に少なければ調整部材により上記距離をより大きく設定して、噴射機構へのメディア（着弾対象）の衝突やゴミの付着量の低減をより重視するように調整したりすることができる。これらの調整も液体噴射装置の調整の一種である。なお、これらの噴射結果に基づく調整のために、検査パターンは必ずしも必須ではなく、センサー等により調整の要否や調整の程度を特定してもよい。
【００９１】
そして、上記各実施形態においては、液体噴射装置としてプリンター１を例示したが、例えば、より広義には、ヘッドユニット４も液体噴射装置の一種である。また、本発明は、ノズルから液体を噴射させる他の液体噴射装置にも適用することができる。例えば、液晶ディスプレイ等のカラーフィルターの製造に用いられる色材噴射ヘッド、有機ＥＬ（Electro Luminescence）ディスプレイ、ＦＥＤ（面発光ディスプレイ）等の電極形成に用いられる電極材噴射ヘッド、バイオチップ（生物化学素子）の製造に用いられる生体有機物噴射ヘッド等にも本発明を適用することができる。ディスプレイ製造装置用の色材噴射ヘッドでは液体の一種としてＲ（Red）・Ｇ（Green）・Ｂ（Blue）の各色材の溶液を噴射する。また、電極形成装置用の電極材噴射ヘッドでは液体の一種として液状の電極材料を噴射し、チップ製造装置用の生体有機物噴射ヘッドでは液体の一種として生体有機物の溶液を噴射する。
【符号の説明】
【００９２】
１...プリンター，２...フレーム，３...プラテン，４...ヘッドユニット，５...ガイドロッド，６...キャリッジ，７...インクカートリッジ，８...記録ヘッド，１１...ワイピング機構，１２...ワイパー，１３...キャッピング機構，１４...キャップ，１７...カバー，１８...締結部材，１９...開口，２０...調整穴，２１...インク導入部材，２２...ホルダー，２３...噴射ユニット，２４...インク導入針，２５...フィルター，２６...導入孔，２７...導入流路，２８...供給流路，２９...流路接続部，３０...調整部材，３１...収容空部，３２...固定板，３３...開口部，３４...ノズル，３５...ノズルプレート，３６...連通基板，３７...圧力室形成基板，３８...振動板，３９...圧電素子，４０...保護基板，４１...ユニットケース，４２...導入口，４３...共通液室，４４...ケース流路，４５...収納空部，４６...圧力室，４７...個別連通口，４８...凹部，４９...ノズル列，５０...フレキシブル基板，５１...ダミーカートリッジ
【図１】
2018034397.tif 000003
【図２】
2018034397.tif 000004
【図３】
2018034397.tif 000005
【図４】
2018034397.tif 000006
【図５】
2018034397.tif 000007
【図６】
2018034397.tif 000008
【図７】
2018034397.tif 000009
【図８】
2018034397.tif 000010
【図９】
2018034397.tif 000011
【図１０】
2018034397.tif 000012
【図１１】
2018034397.tif 000013
【図１２】
2018034397.tif 000014
【図１３】
2018034397.tif 000015